(57)【要約】【課題】白色生成物の生成を抑制しつつ、窒素酸化物の浄化率を向上することができる排気ガス浄化システム及び排気ガス浄化方法を提供する。【解決手段】累積使用時間取得装置３１が取得した選択的還元触媒装置２５の累積使用時間ｔｘに基づいて、制御装置３０により、噴射許可温度Ｔａを設定し、温度取得装置３２が選択的還元触媒装置２５の温度として取得した排気ガス温度Ｔｘが設定したその噴射許可温度Ｔａを超えたときに、還元剤噴射弁２４から尿素水Ｕ１を噴射させる制御をする構成にした。【選択図】図３
2018193905.tif 000002
【特許請求の範囲】
【請求項１】
エンジンの排気通路に配置されて、排気ガスの流れに関して上流側から下流側に向って順に、排気ガスに尿素水を噴射する還元剤噴射弁と、尿素水を還元剤として用いて排気ガスに含まれる窒素酸化物を還元する選択的還元触媒装置とを備えた排気ガス浄化システムにおいて、
前記選択的還元触媒装置の累積使用時間を取得する累積使用時間取得装置と、前記選択的還元触媒装置の入口の排気ガス温度を取得する温度取得装置と、前記還元剤噴射弁、前記累積使用時間取得装置、及び前記温度取得装置に接続された制御装置と、を備えて、
前記累積使用時間取得装置が取得した前記選択的還元触媒装置の累積使用時間に基づいて、前記制御装置により、噴射許可温度を設定し、前記温度取得装置が取得した前記選択的還元触媒装置の入口の排気ガス温度が設定したその噴射許可温度を超えたときに、前記還元剤噴射弁から尿素水を噴射させる制御をする構成にしたことを特徴とする排気ガス浄化システム。
【請求項２】
前記噴射許可温度は、前記累積使用時間が長くなるに連れて高くなる請求項１に記載の排気ガス浄化システム。
【請求項３】
前記噴射許可温度は、前記累積使用時間に基づいて予め設定した一定時間が経過する毎に、予め設定した一定温度ずつ段階的に高くなる請求項１に記載の排気ガス浄化システム。
【請求項４】
前記噴射許可温度は、前記累積使用時間が零のときに予め設定された最低温度になり、前記累積使用時間が前記選択的還元触媒装置の交換時間に達する前に予め設定された最高温度になる請求項１〜３のいずれか１項に記載の排気ガス浄化システム。
【請求項５】
エンジンの排気通路に配置された還元剤噴射弁から尿素水を噴射させて、その還元剤噴射弁よりも排気ガスの流れに関して下流側に配置された選択的還元触媒装置でその尿素水を還元剤として用いて排気ガスに含まれる窒素酸化物を還元する排気ガス浄化方法において、
前記選択的還元触媒装置の累積使用時間と、前記選択的還元触媒装置の入口の排気ガス温度とを取得し、
取得した前記選択的還元触媒装置の累積使用時間に基づいて噴射許可温度を設定し、
取得した前記選択的還元触媒装置の入口の排気ガス温度が設定したその噴射許可温度を超えたときに、前記還元剤噴射弁から尿素水を噴射させることを特徴とする排気ガス浄化方法。
【発明の詳細な説明】
【技術分野】
【０００１】
本発明は、排気ガス浄化システム及び排気ガス浄化方法に関し、より詳細には、窒素酸化物の浄化率を向上する排気ガス浄化システム及び排気ガス浄化方法に関する。
【背景技術】
【０００２】
エンジンから排出された排気ガスの窒素酸化物を還元浄化するシステムとして、排気通路に還元剤噴射弁と選択的還元触媒装置とを備えたものが提案されている（例えば、特許文献１を参照）。この排気ガス浄化システムは、選択的還元触媒装置（ＳＣＲ触媒装置）の温度が予め設定された噴射許可温度（例えば、２００℃）以上になったときに、還元剤噴射弁から尿素水を噴射させている。
【先行技術文献】
【特許文献】
【０００３】
【特許文献１】特開２００８−１６３９１９号公報
【発明の概要】
【発明が解決しようとする課題】
【０００４】
ところで、排気ガス浄化システムには、排気ガス温度が低い場合に、選択的還元触媒装置に尿素水を由来とする結晶化した白色生成物が生成するという問題があった。これに関して、特許文献１に記載のシステムでは、噴射許可温度を白色生成物が生成し難い温度に設定することで、白色生成物の生成を抑制していた。
【０００５】
しかしながら、特許文献１に記載のシステムでは、選択的還元触媒装置の温度が設定した噴射許可温度まで到達していない場合に、還元剤噴射弁から尿素水を噴射させないことになる。それ故、噴射許可温度よりも温度が低い状態における窒素酸化物の浄化率が低下するという新たな問題が生じていた。
【０００６】
本発明の目的は、白色生成物の生成を抑制しつつ、窒素酸化物の浄化率を向上することができる排気ガス浄化システム及び排気ガス浄化方法を提供することである。
【課題を解決するための手段】
【０００７】
上記の目的を達成する本発明の排気ガス浄化システムは、エンジンの排気通路に配置されて、排気ガスの流れに関して上流側から下流側に向って順に、排気ガスに尿素水を噴射する還元剤噴射弁と、尿素水を還元剤として用いて排気ガスに含まれる窒素酸化物を還元する選択的還元触媒装置とを備えた排気ガス浄化システムにおいて、前記選択的還元触媒装置の累積使用時間を取得する累積使用時間取得装置と、前記選択的還元触媒装置の温度を取得する温度取得装置と、前記還元剤噴射弁、前記累積使用時間取得装置、及び前記温度取得装置に接続された制御装置と、を備えて、前記累積使用時間取得装置が取得した前記選択的還元触媒装置の累積使用時間に基づいて、前記制御装置により、噴射許可温度を設定し、前記温度取得装置が取得した温度が設定したその噴射許可温度を超えたときに、前記還元剤噴射弁から尿素水を噴射させる制御をする構成にしたことを特徴とする。
【０００８】
また、上記の目的を達成する本発明の排気ガス浄化方法は、エンジンの排気通路に配置された還元剤噴射弁から尿素水を噴射させて、その還元剤噴射弁よりも排気ガスの流れに関して下流側に配置された選択的還元触媒装置でその尿素水を還元剤として用いて排気ガスに含まれる窒素酸化物を還元する排気ガス浄化方法において、前記選択的還元触媒装置の累積使用時間と、前記選択的還元触媒装置温度とを取得し、取得した前記選択的還元触
媒装置の累積使用時間に基づいて噴射許可温度を設定し、取得した前記選択的還元触媒装置の温度が設定したその噴射許可温度を超えたときに、前記還元剤噴射弁から尿素水を噴射させることを特徴とする。
【発明の効果】
【０００９】
本発明によれば、選択的還元触媒装置における浄化性能が累積使用時間に応じて低下することで、尿素水を由来する白色生成物が生成し易くなることに着目して、選択的還元触媒装置の累積使用時間に基づいて噴射許可温度を設定する構成にした。それ故、選択的還元触媒装置の累積使用時間に応じて段階的に劣化する浄化性能を補完すべく、噴射許可温度を段階的に高い温度に設定することができる。
【００１０】
つまり、選択的還元触媒装置の累積使用時間が短い場合に、選択的還元触媒装置の浄化性能の高さから白色生成物の生成が抑制されるので、噴射許可温度を低い温度に設定することができる。これにより、排気ガス温度が低い場合に、還元剤噴射弁から尿素水を噴射させるには有利になり、窒素酸化物の浄化率を向上することができる。
【００１１】
また、選択的還元触媒装置の累積使用時間が長い場合に、噴射許可温度を高い温度に設定することができる。これにより、選択的還元触媒装置の劣化が進行した状態では、排気ガス温度が低い場合に、還元剤噴射弁からの尿素水の噴射を禁止するには有利になり、白色生成物の生成を抑制することができる。
【図面の簡単な説明】
【００１２】
【図１】本発明の排気ガス浄化システムの実施形態を例示する構成図である。
【図２】図１の制御装置を例示する構成図である。
【図３】本発明の排気ガス浄化方法の実施形態を例示する第一フロー図である。
【図４】本発明の排気ガス浄化方法の実施形態を例示する第二フロー図である。
【図５】選択的還元触媒装置の累積使用時間と噴射許可温度及び選択的還元触媒装置の劣化進行度の関係を例示する経過図である。
【発明を実施するための形態】
【００１３】
以下に、本発明の排気ガス浄化システム及び排気ガス浄化方法の実施形態について説明する。なお、図中では、Ｇ１で示す矢印が排気ガスの流れを、Ｆ１で示す矢印が未燃燃料の流れを、Ｕ１で示す矢印が尿素水の流れをそれぞれ示している。
【００１４】
図１に例示するように、実施形態の排気ガス浄化システム２０は、車両に搭載されたエンジン１０から排出される排気ガスＧ１を浄化するものである。エンジン１０は、気筒１１、気筒用噴射弁１２、排気弁１３、排気通路１４、及びクランク軸１５を備えている。
【００１５】
複数の気筒１１は、エンジン本体に直列に配置されていて、内部に気筒１１の筒軸方向に往復摺動する図示しないピストンが収納されている。複数の気筒用噴射弁１２は、気筒１１ごとに配置されていて、気筒１１の内部に燃料を噴射している。排気弁１３は、気筒１１ごとに配置されていて、排気行程で開弁して気筒用噴射弁１２から気筒１１の内部に噴射された燃料の燃焼により生じた排気ガスＧ１を気筒１１から排出している。排気通路１４は、エキゾーストマニホールド１６に接続されていて、排出された排気ガスＧ１が通過している。クランク軸１５は、図示しないクラッチや変速機などの動力伝達装置を介して駆動輪に駆動力を伝達している。
【００１６】
排気ガス浄化システム２０は、排気通路１４に配置されて、排気通路１４の排気ガスＧ１の流れに関して上流側から下流側に向って順に配置された、配管用噴射弁２１、酸化触媒装置２２、捕集フィルタ２３、還元剤噴射弁２４、選択的還元触媒装置２５、及びアン
モニア用触媒装置２６を有している。
【００１７】
配管用噴射弁２１は、エキゾーストマニホールド１６と酸化触媒装置２２との間に介在する排気通路１４の中途位置に、噴射口が排気ガスＧ１の流方向に向けられて挿入されている。配管用噴射弁２１は、燃料タンク２７ａ、燃料ポンプ２７ｂからなる燃料供給システムから、気筒用噴射弁１２から気筒１１に噴射される燃料と同一の燃料が供給されて、排気ガスＧ１に向けて未燃燃料Ｆ１を噴射して供給する装置として機能している。
【００１８】
酸化触媒装置２２は、円筒状の多孔質構造体であり、セラミックスで構成された多孔質の隔壁により区画されて、排気ガスＧ１が流入する入口から流出する出口まで貫通して排気ガスＧ１の流路となる複数の通気孔（セル）が形成されている。酸化触媒装置２２は、その多孔質の隔壁に排気ガスＧ１に含有する炭化水素、一酸化炭素、及び一酸化窒素を酸化する酸化触媒を担持している。酸化触媒としては、白金（Ｐｔ）、ロジウム（Ｒｈ）、パラジウム（Ｐｄ）などの貴金属が例示される。
【００１９】
捕集フィルタ２３は、円筒状の多孔質構造体であり、酸化触媒装置２２と同様にセラミックスで構成された多孔質の隔壁により複数の通気孔が形成されている。捕集フィルタ２３は、酸化触媒装置２２とは異なり、その通気孔が、目封じ部材により入口又は出口のどちらか一方が塞がれており、捕集フィルタ２３の入口及び出口では、隣り合う通気孔が交互に塞がれている。
【００２０】
還元剤噴射弁２４は、捕集フィルタ２３と選択的還元触媒装置２５との間に介在する排気通路１４の中途位置に、噴射口が排気ガスＧ１の流方向に向けられて挿入されている。還元剤噴射弁２４は、尿素水タンク２８ａ、尿素水ポンプ２８ｂからなる尿素水供給システムから尿素水が供給されて、排気ガスＧ１に還元剤として尿素水Ｕ１を添加している。尿素水供給システムは、エンジン１０を冷却した後の冷却水が流れる冷却水配管が設けられていて、その冷却水により尿素水タンク２８ａ、及び尿素水が流れる配管などを温める構成になっている。
【００２１】
選択的還元触媒装置２５は、円筒状の多孔質構造体であり、酸化触媒装置２２と同様にセラミックスで構成された多孔質の隔壁により複数の通気孔が形成されている。選択的還元触媒装置２５は、酸化触媒装置２２とは異なり、その多孔質の隔壁に排気ガスＧ１に含有する窒素酸化物を還元する選択的還元触媒を担持している。選択的還元触媒としては、バナジウムやゼオライトなどが例示される。
【００２２】
アンモニア用触媒装置２６は、選択的還元触媒装置２５を通過後の排気ガスＧ１に含まれるアンモニアを除去する装置であり、アンモニアを酸化分解する機能、あるいはアンモニアを吸着する機能を有している。
【００２３】
制御装置３０は、各種情報処理を行うＣＰＵ、その各種情報処理を行うために用いられるプログラムや情報処理結果を読み書き可能な内部記憶装置、及び各種インターフェースなどから構成されるハードウェアである。制御装置３０は、還元剤噴射弁２４、及び各種取得装置３１〜３４に一点鎖線で示す信号線を介して電気的に接続されている。
【００２４】
累積使用時間取得装置３１は、クランク軸１５の回転数を検知してエンジン１０が搭載されている車両の走行距離を累積使用時間ｔｘとして取得する走行距離計で構成されている。累積使用時間取得装置３１は、選択的還元触媒装置２５の累積使用時間ｔｘが取得できればよい。累積使用時間取得装置３１は走行距離計の他に、エンジン１０が駆動している時間を累積使用時間ｔｘとしてカウントするタイマーや、気筒用噴射弁１２から噴射された燃料の噴射量に基づいて累積使用時間ｔｘを算出するプログラムなどが例示される。
なお、累積使用時間ｔｘとしては、選択的還元触媒装置２５が新品の状態を零とするとよい。
【００２５】
温度取得装置３２は、選択的還元触媒装置２５の入口に配置されて、その入口を通過する排気ガスＧ１の排気ガス温度Ｔｘを選択的還元触媒装置２５の温度として取得する温度センサで構成されている。温度取得装置３２としては、温度センサの代わりに、エンジン１０の回転速度及び気筒用噴射弁１２から噴射されて気筒１１の内部で燃焼する燃料の量などに基づいて選択的還元触媒装置２５までの排気ガス温度をモデリングして予測する装置を用いてもよい。
【００２６】
窒素酸化物濃度取得装置３３は、排気通路１４の選択的還元触媒装置２５よりも排気ガスＧ１の流れに関して下流側に配置されていて、選択的還元触媒装置２５を通過後の排気ガスＧ１に含有される窒素酸化物の濃度を取得するＮＯｘセンサで構成されている。
【００２７】
アンモニア濃度取得装置３４は、排気通路１４のアンモニア用触媒装置２６よりも排気ガスＧ１の流れに関して下流側に配置されていて、アンモニア用触媒装置２６を通過後の排気ガスＧ１に含有されるアンモニアの濃度を取得するアンモニアセンサで構成されている。
【００２８】
上記の排気ガス浄化システム２０においては、気筒用噴射弁１２から噴射された燃料が気筒１１の内部で燃焼して生じた排気ガスＧ１に含まれる浄化対象成分が各装置（２２、２３、２５、２６）を通過することで浄化される。具体的に、酸化触媒装置２２により、排気ガスＧ１に含まれる炭化水素、炭素酸化物、及び窒素酸化物が酸化される。次いで、捕集フィルタ２３により、排気ガスＧ１に含まれる粒子状物質（可溶有機分（ＳＯＦ）及び煤（Ｓｏｏｔ））が捕集される。次いで、選択的還元触媒装置２５により、還元剤噴射弁２４から噴射された尿素水の加水分解により生じたアンモニアによる還元反応によって、排気ガスＧ１に含まれる窒素酸化物が還元される。次いで、アンモニア用触媒装置２６により、排気ガスＧ１に含まれるアンモニアが除去される。
【００２９】
図２に例示するように、制御装置３０は、各機能要素として、温度設定部３５、噴射判定部３６、及び噴射調節部３７を有している。各機能要素は、プログラムとして内部記憶装置に記憶されていて、適時、ＣＰＵにより実行されている。なお、各機能要素としては、プログラムの他にそれぞれが独立して機能する装置としてもよい。
【００３０】
温度設定部３５は、選択的還元触媒装置２５の累積使用時間ｔｘに基づいて噴射許可温度Ｔａを設定する機能要素である。噴射判定部３６は、選択的還元触媒装置２５の温度に基づいて噴射させる制御を行うか否かを判定する機能要素である。噴射調節部３７は、窒素酸化物の濃度及びアンモニアの濃度に基づいて噴射させる制御における還元剤噴射弁２４から噴射される尿素水Ｕ１の噴射量を調節する機能要素である。
【００３１】
図３に例示するように、本発明の排気ガス浄化方法は、周期的に累積使用時間ｔｘを監視して噴射許可温度Ｔａを累積使用時間ｔｘに応じて最低温度Ｔｌから最高温度Ｔｈまでの間の温度に設定する方法である。なお、スタート時の噴射許可温度Ｔａは、最低温度Ｔｌに設定されているものとする。
【００３２】
最低温度Ｔｌは、略新品状態（累積使用時間ｔｘが零の状態）の選択的還元触媒装置２５がアンモニアスリップを生じることなく、アンモニアを還元剤として窒素酸化物を還元除去可能な温度である。最低温度Ｔｌとしては、１５０℃〜１７０℃が例示される。
【００３３】
最高温度Ｔｈは、交換が必要な状態（累積使用時間ｔｘが交換時間ｔａ以上の状態）の
選択的還元触媒装置２５がアンモニアスリップを生じることなく、アンモニアを還元剤として窒素酸化物を還元除去可能な温度である。最高温度Ｔｈとしては、１８０℃〜２００℃が例示される。
【００３４】
累積使用時間取得装置３１が選択的還元触媒装置２５の累積使用時間ｔｘを取得する（Ｓ１１０）。次いで、温度設定部３５は、取得した累積使用時間ｔｘが予め設定した交換時間ｔａ未満か否かを判定する（Ｓ１２０）。
【００３５】
交換時間ｔａは、選択的還元触媒装置２５の劣化が進行して交換が必要な状態を判定可能な時間に設定されている。
【００３６】
このステップで、累積使用時間ｔｘが交換時間ｔａ以上になったと判定した場合に（Ｓ１２０：ＮＯ）、温度設定部３５は、図示しない警告装置により車両の運転者に対して選択的還元触媒装置２５の交換を警告する（Ｓ１３０）。
【００３７】
一方、累積使用時間ｔｘが交換時間ｔａ未満であると判定した場合に（Ｓ１２０：ＹＥＳ）、温度設定部３５は、累積使用時間ｔｘに基づいて一定時間ｔｂが経過したか否かを判定する（Ｓ１４０）。
【００３８】
一定時間ｔｂは、選択的還元触媒装置２５の劣化が一段階進行したことが判定可能な時間に設定されている。例えば、累積使用時間取得装置３１が走行距離計で構成された場合に一定時間ｔｂとしては一万ｋｍが例示される。
【００３９】
このステップで、一定時間ｔｂが経過していないと判定した場合に（Ｓ１４０：ＮＯ）、スタートへ戻る。
【００４０】
一方、一定時間ｔｂが経過したと判定した場合に（Ｓ１４０：ＹＥＳ）、温度設定部３５は、現時点で設定されている噴射許可温度Ｔａが最高温度Ｔｈに達したか否かを判定する（Ｓ１５０）。
【００４１】
このステップで、現時点で設定されている噴射許可温度Ｔａが最高温度Ｔｈに達したと判定した場合に（Ｓ１５０：ＮＯ）、スタートへ戻る。
【００４２】
一方、現時点で設定されている噴射許可温度Ｔａが最高温度Ｔｈに達していないと判定した場合に（Ｓ１５０：ＹＥＳ）、温度設定部３５は、噴射許可温度Ｔａを、現時点で設定されている噴射許可温度Ｔａよりも一定温度Ｔｂ高い温度に設定する（Ｓ１６０）。
【００４３】
一定温度Ｔｂは、噴射許可温度Ｔａをその一定温度Ｔｂ分高くすることで、劣化が一段階進行した状態の選択的還元触媒装置２５の浄化能力を補うことが可能な温度に設定されている。例えば、一定温度Ｔｂとしては「１℃」が例示される。
【００４４】
累積使用時間ｔｘに応じた噴射許可温度Ｔａを設定すると、スタートへ戻り、上記のフローが繰り返される。選択的還元触媒装置２５が新たに交換されるまで、累積使用時間ｔｘは長くなり、噴射許可温度Ｔａは高くなる。
【００４５】
図４に例示するように、本発明の排気ガス浄化方法は、図３のフローと並列して、周期的に選択的還元触媒装置２５の温度として排気ガス温度Ｔｘを監視して、その排気ガス温度Ｔｘが噴射許可温度Ｔａを超えたときに、還元剤噴射弁２４から尿素水を噴射させる方法である。
【００４６】
温度取得装置３２が選択的還元触媒装置２５の入口を通過する排気ガス温度Ｔｘを取得する（Ｓ２１０）。次いで、噴射判定部３６が、取得した排気ガス温度Ｔｘが上記で設定された噴射許可温度Ｔａを超えたか否かを判定する（Ｓ２２０）。
【００４７】
このステップで、排気ガス温度Ｔｘが噴射許可温度Ｔａに達していないと判定した場合に（Ｓ２２０：ＮＯ）、スタートへ戻る。
【００４８】
一方、排気ガス温度Ｔｘが噴射許可温度Ｔａに達したと判定した場合に（Ｓ２２０：ＹＥＳ）、噴射判定部３６は噴射調節部３８に噴射の許可を出し、噴射調節部３８が、還元剤噴射弁２４から尿素水を噴射させる制御を行う（Ｓ２３０）。
【００４９】
図５に例示するように、累積使用時間ｔｘが零のときは、選択的還元触媒装置２５が略新品で劣化していない状態であり、噴射許可温度Ｔａとして最低温度Ｔｌが設定される。累積使用時間ｔ１になるまでは、一定時間ｔｂが経過する毎に噴射許可温度Ｔａが一定温度Ｔｂずつ段階的に高い温度に設定される。
【００５０】
累積使用時間ｔ１になると、噴射許可温度Ｔａが最高温度Ｔｈに達する。従って、累積使用時間ｔ１以降では、一定時間ｔｂが経過しても噴射許可温度Ｔａは最高温度Ｔｈに維持される。
【００５１】
累積使用時間ｔ２になり、交換時間ｔａを超えると、運転者に選択的還元触媒装置２５の交換を促す警告が行われる。この警告により選択的還元触媒装置２５が交換されると、累積使用時間ｔｘが零にリセットされ、噴射許可温度Ｔａが最低温度Ｔｌにリセットされる。
【００５２】
以上のように、上記の排気ガス浄化システム２０は、選択的還元触媒装置２５の累積使用時間ｔｘに応じて、噴射許可温度Ｔａを設定する。それ故、選択的還元触媒装置２５の累積使用時間ｔｘに応じて段階的に劣化する浄化性能を補完すべく、噴射許可温度Ｔａを最低温度Ｔｌから最高温度Ｔｈまでの間で段階的に高い温度に設定することができる。
【００５３】
具体的に、排気ガス浄化システム２０は、選択的還元触媒装置２５の累積使用時間ｔｘが短い場合に、選択的還元触媒装置２５の浄化性能の高さから白色生成物の生成が抑制されるので、噴射許可温度Ｔａを低い温度に設定することができる。これにより、選択的還元触媒装置２５の劣化が進行していない場合に、排気ガス温度Ｔｘが低く状態で、還元剤噴射弁２４から尿素水を噴射させるには有利になり、排気ガス温度Ｔｘが低い状態における窒素酸化物の浄化率を向上することができる。
【００５４】
また、排気ガス浄化システム２０は、選択的還元触媒装置２５の累積使用時間ｔｘが長い場合に、噴射許可温度Ｔａを高い温度に設定することができる。これにより、選択的還元触媒装置２５の劣化が進行している場合に、排気ガス温度Ｔｘが低い状態で、還元剤噴射弁２４からの尿素水の噴射を禁止するには有利になり、白色生成物の生成を抑制することができる。
【００５５】
上記の排気ガス浄化システム２０は、噴射許可温度Ｔａを累積使用時間ｔｘが長くなるに連れて高い温度に設定することが好ましく、噴射許可温度Ｔａを累積使用時間ｔｘに基づいて一定時間ｔｂが経過する毎に一定温度Ｔｂずつ段階的に高くすることがより好ましい。このように、累積使用時間ｔｘに応じて段階的に進行する選択的還元触媒装置２５の浄化性能の劣化をその温度上昇により補完することで、累積使用時間ｔｘの経過と共に生じ易くなる白色生成物の生成を確実に抑制するには有利になる。
【００５６】
なお、この実施形態では、噴射許可温度Ｔａを一定時間ｔｂが経過する毎に一定温度Ｔｂずつ段階的に高くしたが、累積使用時間ｔｘに応じて一定時間ｔｂを段階的に長くすると共に、一定温度Ｔｂを段階的に高くしてもよい。つまり、噴射許可温度Ｔａを選択的還元触媒装置２５の累積使用時間ｔｘの経過と共に進行する浄化性能の劣化度合いに応じて高くするとよい。
【００５７】
既述した実施形態の排気ガス浄化システム２０は、配管用噴射弁２１から未燃燃料Ｆ１を噴射させる構成に代えて、気筒用噴射弁１２のポスト噴射により未燃燃料を噴射させる構成にしてもよい。また、既述した実施形態の排気ガス浄化システム２０は、尿素水タンク２８ａ、尿素水ポンプ２８ｂ、又は尿素水Ｕ１が流れる配管の温度が所定の温度以上になったときに、還元剤噴射弁２４から尿素水Ｕ１を噴射させる構成にするとよい。この所定の温度は、尿素水Ｕ１が解凍したことが判定可能な温度に設定される。
【符号の説明】
【００５８】
１０  エンジン
１４  排気通路
２０  排気ガス浄化システム
２４  還元剤噴射弁
２５  選択的還元触媒装置
３０  制御装置
３１  累積使用時間取得装置
３２  温度取得装置
Ｇ１  排気ガス
Ｕ１  尿素水
ｔｘ  累積使用時間
Ｔａ  噴射許可温度
Ｔｘ  選択的還元触媒装置の温度（排気ガス温度）
【図１】
2018193905.tif 000003
【図２】
2018193905.tif 000004
【図３】
2018193905.tif 000005
【図４】
2018193905.tif 000006
【図５】
2018193905.tif 000007